(57)【要約】【課題】初心者等でも楽めるけん玉を提供する。【解決手段】けん玉は、けん軸部の中心軸に直交する方向に延びる皿胴部であって、皿胴部の一端と他端との間に皿胴部の中心部に向かって減る外径を有する皿胴部と、皿胴部の一端に形成された大皿部であって、大皿部の内面に皿胴部の中心部に向かって減る内径を有する凹部が形成され、大皿部の外面に円環状に延び皿胴部の中心部に向かって増える外径を有する縁部が形成され、凹部と縁部とを接続し円環状に延びる外縁部が形成された大皿部と、皿胴部の他端に形成された小皿部であって、小皿部の内面に皿胴部の中心部に向かって減る内径を有する凹部が形成され、小皿部の外面に円環状に延び皿胴部の中心部に向かって増える外径を有する縁部が形成され、凹部と縁部とを接続し円環状に延びる外縁部が形成された小皿部と、けん軸部に係合する穴部を含む玉部と、を含み、各外縁部の外径が玉部の径の83%-100%である。【選択図】          図１
2018000742.tif 000002
【特許請求の範囲】
【請求項１】
上端から下端まで延びる棒状のけん軸部と、
該けん軸部の中心軸に対して直交する直交方向に延びる皿胴部であって、該皿胴部の一端と他端との間に該皿胴部の中心部に向かって減少する外径を有する皿胴部と、
該皿胴部の前記一端に着脱不能に形成された大皿部であって、該大皿部の内面に前記皿胴部の前記中心部に向かって減少する内径を有する凹部が形成され、該大皿部の外面に円環状に延び前記皿胴部の前記中心部に向かって増加する外径を有する縁部が形成され、前記凹部と前記縁部とを接続し円環状に延びる外縁部が形成された、大皿部と、
該皿胴部の前記他端に着脱不能に形成された小皿部であって、該小皿部の内面に前記皿胴部の前記中心部に向かって減少する内径を有する凹部が形成され、該小皿部の外面に円環状に延び前記皿胴部の前記中心部に向かって増加する外径を有する縁部が形成され、前記凹部と前記縁部とを接続し円環状に延びる外縁部が形成された、小皿部と、
前記けん軸部の前記上端に係合する穴部が形成された球状の玉部と、
を具備し、
前記大皿部の前記外縁部の外径及び前記小皿部の前記外縁部の外径が、それぞれ、前記玉部の直径に対して８３％〜１００％の範囲にある、ことを特徴とするけん玉。
【請求項２】
前記大皿部の前記縁部が前記直交方向に沿って延びる距離は、前記玉部の直径に対して１０％〜１５％の範囲にある、請求項１に記載のけん玉。
【請求項３】
前記小皿部の前記縁部が前記直交方向に沿って延びる距離は、前記玉部の直径に対して１０％〜１５％の範囲にある、請求項１又は請求項２に記載のけん玉。
【請求項４】
前記大皿部の前記外縁部と前記小皿部の前記外縁部との間の距離は、前記玉部の直径に対して１１６％〜１１９％の範囲にある、請求項１から請求項３のいずれかに記載のけん玉。
【請求項５】
前記けん軸部の長さは、前記玉部の直径に対して２５０％〜３００％の範囲にある、請求項１から請求項４のいずれかに記載のけん玉。
【請求項６】
前記けん軸部の長さは、１５０ｍｍ〜１８０ｍｍの範囲にある、請求項１から請求項４のいずれかに記載のけん玉。
【請求項７】
前記けん軸部、前記皿胴部、前記大皿部及び前記小皿部が、木製の材料により形成され、
１４３ｇ〜１５５ｇの範囲にある質量を有する、請求項１から請求項６のいずれかに記載のけん玉。
【請求項８】
前記けん軸部の前記上端と前記下端との間に形成されたすべり止め部であって、該すべり止め部に対して上方向及び下方向にそれぞれ隣接する上部外面及び下部外面よりも大きい外径を有し円環状に延びる隆起部が形成され、該隆起部と前記上部外面とを接続し該上部外面に向かって減少する外面を有する上部湾曲部が形成され、前記隆起部と前記下部外面とを接続し該下部外面に向かって減少する外面を有する下部湾曲部が形成された、すべり止め部、
をさらに具備し、
前記下部外面は、平面状の外面ではなく、前記けん軸部の前記中心軸に向かう方向に湾曲した曲面状の外面として形成されている、請求項１から請求項７のいずれかに記載のけん玉。
【請求項９】
前記けん軸部の前記下端に着脱不能に形成された中皿部であって、該中皿部の内面に前記けん軸部の前記上端に向かって減少する内径を有する凹部が形成され、該中皿部の外面に円環状に延び前記けん軸部の前記上端に向かって増加する外径を有する縁部が形成され、前記凹部と前記縁部とを接続し円環状に延びる外縁部が形成された、中皿部、
をさらに具備する、請求項１から請求項８のいずれかに記載のけん玉。
【発明の詳細な説明】
【技術分野】
【０００１】
本出願において開示された技術はけん玉に関する。
【背景技術】
【０００２】
一般的なけん玉として、例えば、「競技用けん玉」（有限会社山形工房）が知られている（非特許文献１）。
【先行技術文献】
【非特許文献】
【０００３】
【非特許文献１】有限会社山形工房、“競技用けん玉”、[online]、[平成２８年６月２２日検索]、インターネット<URL: http://www.kendama.co.jp/kyougi.html>
【発明の概要】
【発明が解決しようとする課題】
【０００４】
初心者がけん玉を用いて各種の技を決めることができるようになるためには、通常、ある一定の期間、練習を行うことが必要である。また、例えば幼児やお年寄り等、一般的に身体能力が劣るとされるユーザがけん玉を操作して様々な技を決めることは、容易ではない。
【０００５】
そこで、様々な実施形態により、初心者や身体能力が劣るとされるユーザ（以下「初心者等」という。）でも簡単に楽しむことが可能なけん玉を提供する。
【課題を解決するための手段】
【０００６】
本発明の一態様に係るけん玉は、上端（１２）から下端（１４）まで延びる棒状のけん軸部（１０）と、該けん軸部の中心軸に対して直交する直交方向に延びる皿胴部（２０）であって、該皿胴部の一端（２２）と他端（２４）との間に該皿胴部の中心部（２６）に向かって減少する外径を有する皿胴部（２０）と、該皿胴部の前記一端（２２）に着脱不能に形成された大皿部（３０）であって、該大皿部の内面に前記皿胴部の前記中心部（２６）に向かって減少する内径を有する凹部（３２）が形成され、該大皿部の外面に円環状に延び前記皿胴部の前記中心部（２６）に向かって増加する外径を有する縁部（３４）が形成され、前記凹部（３２）と前記縁部（３４）とを接続し円環状に延びる外縁部（３６）が形成された、大皿部（３０）と、該皿胴部の前記他端（２４）に着脱不能に形成された小皿部（４０）であって、該小皿部の内面に前記皿胴部の前記中心部（２６）に向かって減少する内径を有する凹部（４２）が形成され、該小皿部の外面に円環状に延び前記皿胴部の前記中心部（２６）に向かって増加する外径を有する縁部（４４）が形成され、前記凹部（４２）と前記縁部（４４）とを接続し円環状に延びる外縁部（４６）が形成された、小皿部（４０）と、前記けん軸部（１０）の前記上端（１２）に係合する穴部（２Ａ）が形成された球状の玉部（２）と、を具備し、前記大皿部（３０）の前記外縁部（３６）の外径及び前記小皿部（４０）の前記外縁部（４６）の外径が、それぞれ、前記玉部（２）の直径に対して８３％〜１００％の範囲にあるものである。
【発明の効果】
【０００７】
様々な実施形態によれば、初心者等でも簡単に楽しむことが可能なけん玉を提供することができる。
【図面の簡単な説明】
【０００８】
【図１】図１は、本発明の一実施形態に係るけん玉のけん部の構成を示す斜視図である。
【図２】図２は、図１に示したけん部の構成を示す正面図である。
【図３】図３は、図１に示したけん部の構成を示す右側面図である。
【図４】図４は、図１に示したけん部の構成を示す左側面図である。
【図５】図５は、図１に示したけん部の構成を示す上面図である。
【図６】図６は、図１に示したけん部の構成を示す底面図である。
【図７】図７は、図１に示したけん部を別の角度からみて示す斜視図である。
【図８】図８は、本発明の一実施形態に係るけん玉の玉部の構成を示す底面図である。
【図９】図９は、図８に示した玉部の構成を示す上面図である。
【図１０】図１０は、本発明の様々な実施形態に係るけん玉のサイズの具体例を従来のけん玉のサイズと比較して示す表である。
【図１１】図１１は、本発明の一実施形態に係るけん玉に関する実験結果を示す表である。
【発明を実施するための形態】
【０００９】
以下、添付図面を参照して、本発明の様々な実施形態について説明する。なお、添付図面において共通する構成要件には、同一の参照符号が付されている。
【００１０】
１．一実施形態に係るけん玉の概要
図１は、本発明の一実施形態に係るけん玉のけん部の構成を示す斜視図である。図２は、図１に示したけん部の構成を示す正面図である。図３は、図１に示したけん部の構成を示す右側面図である。図４は、図１に示したけん部の構成を示す左側面図である。図５は、図１に示したけん部の構成を示す上面図である。図６は、図１に示したけん部の構成を示す底面図である。図７は、図１に示したけん部の構成を別の角度からみて示す斜視図である。
【００１１】
本実施形態に係るけん玉は、主に、図１〜図６に例示したけん部１と、図７に例示した玉部２と、けん部１と玉部３とを接続する接続部材（糸や紐等）３と、を含む。けん部１及び玉部２は、ともに木製の材料により形成され得るものである。木製の材料は、例えば、ブナ、ケヤキ、桜、楓や槐等の材料をこれらに限定することなく含む。
【００１２】
１−１．けん部１０の構成
けん部１は、大まかに説明すると、けん軸部１０と、皿胴部２０と、大皿部３０と、小皿部４０と、中皿部５０と、すべり止め部６０と、を含む。
けん軸部１０は、全体として上端１２から下端１４まで延びる棒状となるように形成されている。このけん軸部１０は、（中皿部５０及びすべり止め部６０を除き）全体として下端１４から上端１２に向かって減少する外径を有するように形成されている。また、けん軸部１０は、例えば、その中心軸に直交する各断面が円形状となるように形成されている。さらに、けん軸部１０は、上端１２において、略円錐状に形成されたけん先部１６を有する。
なお、けん軸部１０は、十分な強度を確保するという目的、及び／又は、ユーザに適度な重量感を感じさせるという目的を達成すべく、中実となるように形成されるものであるが、別の実施形態では、軽量化を図るべく、少なくとも一部において中空となるように形成されていてもよい。
【００１３】
皿胴部２０は、けん軸部１０の中心軸に対して直交する方向に、一端２２から他端２４まで延びるように形成されている。この皿胴部２０は、一端２２から中心部２６に向かって減少する外径、及び、他端２４から中心部２６に向かって減少する外径を有するように形成されている。
【００１４】
また、皿胴部２０の中心部２６には、鉛直方向に延び、この皿胴部２０を貫通する貫通孔２８が形成されている。この貫通孔２８は、けん軸部１０の外面に係合するように、けん軸部１０の形状に合わせて、下端から上端に向かって減少する内径を有するように形成されている。図１及び図２等には、けん軸部１０が、貫通孔２８の下端から上端に向かって貫通孔２８に挿通され、皿胴部２０に固定された様子が示されている。
【００１５】
さらに、皿胴部２０の中心部２６には、貫通孔２８に連通する取付孔２９が形成されている。取付孔２９は、けん軸部１０の中心軸に沿った位置に形成されるものであってもよいし、けん軸部１０の中心軸から小皿部４０（又は大皿部３０）に向かって所定の距離（例えば０.５ｍｍ〜数ｍｍ）だけ離れた位置に形成されるものであってもよい。
取付孔２９がけん軸部１０の中心軸から小皿部４０に向かって所定の距離だけ離れた位置に形成される場合には、飛行機等の技を行う際に、大皿部３０が小皿部４０側に必要以上に回転することを抑えることができるため、ユーザは飛行機等の技を成功させ易くなる。
【００１６】
このような取付孔２９は、接続部材３（糸や紐等）をけん部１に固定するために用いられる。具体的には、接続部材３の一端３Ａを取付孔２９に挿入して貫通孔２８の下端から貫通孔２８の外部に配置させた状態で、接続部材３の一端３Ａに結び目を形成した後、上述したように、けん軸部１０を貫通孔２８に挿通することによって、接続部材３をけん部１に固定することができる。これにより、接続部材３の一端３Ａに形成された結び目は、取付孔２９に向かって引っ張られても、貫通孔２８の中に侵入することができないため、接続部材３は確実にけん部１に固定される。
なお、皿胴部２０は、十分な強度を確保するという目的、及び／又は、ユーザに適度な重量感を感じさせるという目的を達成すべく、中実となるように形成されるものであるが、別の実施形態では、軽量化を図るべく、少なくとも一部において中空となるように形成されていてもよい。
【００１７】
大皿部３０は、皿胴部２０の一端２２に対して一体的に、すなわち、着脱不能に形成されている。この大皿部３０の内面には、皿胴部２０の中心部２６に向かって減少する内径を有する凹部３２が形成されている。この凹部３２は、球状に形成された玉部２（の少なくとも一部）を収容することができるように、玉部２の形状に合わせて形成されるものであってよい。この大皿部３０の外面には、円環状に延び、皿胴部２０の中心部２６に向かって増加する外径を有する縁部３４が形成されている。凹部３２と縁部３４との間には、凹部３２と縁部３４とを接続するように、円環状に延びる外縁部３６が形成されている。この外縁部３６の外面は、けん軸部１０の中心軸に平行に延びる平らな平面として形成されるものであってもよい。外縁部３６は、例えば、０.５ｍｍ〜３ｍｍの範囲にある幅（外径と内径との差）を有するものとすることができる。
【００１８】
小皿部４０は、皿胴部２０の他端２４に対して一体的に、すなわち、着脱不能に形成されている。この小皿部４０の内面には、図４に最もよく示されるように、皿胴部２０の中心部２６に向かって減少する内径を有する凹部４２が形成されている。この凹部４２は、球状に形成された玉部２（の少なくとも一部）を収容することができるように、玉部２の形状に合わせて形成されるものであってよい。この小皿部４０の外面には、図１及び図２等に示すように、円環状に延び、皿胴部２０の中心部２６に向かって増加する外径を有する縁部４４が形成されている。凹部４２と縁部４４との間には、図４に最もよく示されるように、凹部４２と縁部４４とを接続するように、円環状に延びる外縁部４６が形成されている。この外縁部４６の外面は、けん軸部１０の中心軸に平行に延びる平らな平面として形成されるものであってもよい。外縁部４６は、例えば、０.５ｍｍ〜３ｍｍの範囲にある幅（外径と内径との差）を有するものとすることができる。
【００１９】
中皿部５０は、けん軸部１０の下端１４に一体的に、すなわち、着脱不能に形成されている。この中皿部５０の内面には、図６に最もよく示されるように、けん軸部１０の上端１２に向かって減少する内径を有する凹部５２が形成されている。この凹部５２は、球状に形成された玉部２（の少なくとも一部）を収容することができるように、玉部２の形状に合わせて形成されるものであってよい。この中皿部５０の外面には、図１及び図２等に示すように、円環状に延び、けん軸部１０の上端１２に向かって増加する外径を有する縁部５４が形成されている。凹部５２と縁部５４との間には、図６に最もよく示されるように、凹部５２と縁部５４とを接続するように、円環状に延びる外縁部５６が形成されている。この外縁部５６の外面は、けん軸部１０の中心軸に直交して延びる平らな平面として形成されるものであってもよい。外縁部５６は、例えば、０.５ｍｍ〜３ｍｍの範囲にある幅（外径と内径との差）を有するものとすることができる。
【００２０】
すべり止め部６０は、図１及び図２等に示すように、けん軸部１０の上端１２と下端１４との間に形成され、好ましくは、けん軸部１０の下部に形成されている。このすべり止め部６０は、主に、隆起部６２と、上部湾曲部６４と、下部湾曲部６６と、を含む。
隆起部６２は、すべり止め部６０の上方向に隣接する上部外面１８Ａ、及び、すべり止め部６０の下方向に隣接する下部外面１８Ｂより大きい外径を有し、円環状に延びるように形成されている。
上部湾曲部６４は、隆起部６２と上部外面１８Ａとを接続し、上部外面１８Ａに向かって減少する外面を有するように形成されている。下部湾曲部６６は、隆起部６２と下部外面１８Ｂとを接続し、下部外面１８Ｂに向かって減少する外面を有するように形成されている。
【００２１】
図２〜図４に最も示されているように、すべり止め部６０の下部湾曲部６６の下縁とけん軸部１０の中皿部５０の縁部５４の上縁との間に延びる下部外面１８Ｂは、一実施形態では、平面状の外面ではなく、けん軸部１０の中心軸に向かう方向に湾曲した曲面状の外面となるように設けられている。このように曲面状の外面となるように形成された下部外面１８Ｂは、平面状（平らな面）となるように形成された場合に比べて、けん軸部１０の軽量化、ひいては、けん玉全体の軽量化を図ることができる。
【００２２】
さらには、下部外面１８Ｂがこのように形成されていることによって、けん部１が持ち易いものとなり、したがって、様々な技が決まり易くなる。具体的には、図７には、ユーザが大皿という技（玉部２を大皿部３０の凹部３２に載せる技）を実行すべくけん部１を握る様子が示されている（なお、一例として、図７に示されているのは大人の右手である）。図７に示すように、大皿部３０の凹部３２を上方に向けて、ユーザが、人差し指及び親指でけん軸部１０を握り、かつ、中指、薬指及び小指を小皿部４０の外縁部４６にその下方から添えると、人差し指の付け根付近がけん軸部１０の下部外面１８Ｂに当接することになる。ここで、下部外面１８Ｂは、平面状（平らな面）ではなく、けん軸部１０の中心軸に向かう方向に（凸に）湾曲した曲面状とされている。これに対して、人差し指の付け根付近は、その外面が凸状となっている。これにより、下部外面１８Ｂは、平面状に形成された場合に比べて、ユーザの人差し指の付け根付近をより深く（けん軸部１０の中心軸に向かう方向に）受け入れることができる。すなわち、下部外面１８Ｂは、平面状に形成された場合に比べて、ユーザの人差し指の付け根付近に対して接する面積をより大きくすることができる。これにより、けん部１が持ち易いものとなり、したがって、様々な技が決まり易くなる。
【００２３】
１−２．玉部２の構成
図８は、本発明の一実施形態に係るけん玉の玉部の構成を示す底面図である。図９は、図８に示した玉部の構成を示す上面図である。
【００２４】
図８及び図９に示すように、玉部２は、全体として略球状に形成されている。図８に示すように、玉部２の底面には、穴部２Ａが形成されている。穴部２Ａは、一実施形態では、けん軸部１０の上端１２（けん先部１６を含む）より大きな内径を有し、上端１２を受け入れる第１穴部２Ａａと、第１穴部２Ａａに連通し、玉部２の外面に向かって増加する内径を有し、上端１２を受け入れる第２穴部２Ａｂと、を含む。
玉部２は、その穴部２Ａ（第１穴部２Ａａ及び第２穴部２Ａｂを含む）がけん軸部１０の上端１２に係合することによって、皿胴部２０の上において大皿部３０と小皿部４０との間に載置される。
【００２５】
他方、玉部２の上面には、図９に示すように、接続部材３（糸や紐等）を挿通させるための貫通孔２Ｂが形成されている。この貫通孔２Ｂは、上述した穴部２Ａ（第１穴部２Ａａ及び第２穴部２Ａｂを含む）に連通している。接続部材３の他端３Ｂ（図示せず）（一端３Ａは上述したとおりけん部１に固定される）が、玉部２の貫通孔２Ｂに挿通され、第１穴部２Ａａ及び第２穴部２Ａｂを通って玉部２の外部に取り出された後、その他端３Ｂに結び目（図示せず）が形成される。この状態で、図９に示すように、接続部材３Ｂが引っ張られたとしても、接続部材３Ｂの他端３Ｂに形成された結び目が第１穴部２Ａａの内壁に当接する（結び目の貫通孔２Ｂへの移動を内壁が阻害する）ことによって、貫通孔２Ｂを通り抜けることができない。これにより、接続部材３Ｂは確実に玉部２に固定される。
【００２６】
１−３．けん部１及び玉部２のサイズ
次に、上記構成を有するけん部１及び玉部２のサイズについて、図１〜図９に加えてさらに図１０を参照して説明する。図１０は、本発明の様々な実施形態に係るけん玉のサイズの具体例を従来のけん玉のサイズと比較して示す表である。
【００２７】
図１０において、第１行（番号１が付された行）に、一実施形態に係るけん玉のサイズの具体例が示されている。第２行（番号２が付された行）及び第３行（番号３が付された行）には、別の実施形態に係るけん玉のサイズの具体例が示されている。第４行（番号４が付された行）には、上述した非特許文献１に開示されたけん玉のサイズが示されている。また、第５行（番号５が付された行）〜第１０行（番号１０が付された行）には、それぞれ、けん玉Ｘ１（Ｙ１社製）、けん玉Ｘ２（Ｙ２社製）、けん玉Ｘ３（Ｙ３社製）、けん玉Ｘ４（Ｙ４社製）、けん玉Ｘ５（Ｙ５社製）及びけん玉Ｘ６（Ｙ６社製）のサイズが示されている。
【００２８】
「材料」という列には、対応するけん玉を形成するために用いられた材料が示されている。「Ａ  玉部の直径」という列には、対応するけん玉の玉部の直径（ｍｍ）が示されている。なお、様々な実施形態に係るけん玉に関しては、「Ａ」という参照符号は、図８に示した参照符号「Ａ」（すなわち、玉部２の直径）に対応している。
【００２９】
「Ｂ  けん軸部の長さ」という列には、対応するけん玉のけん軸部の長さ（ｍｍ）が、玉部の直径に対する割合（％）とともに示されている。なお、様々な実施形態に係るけん玉に関しては、「Ｂ」という参照符号は、図２に示した参照符号「Ｂ」（すなわち、けん軸部１０の長さ）に対応している。
【００３０】
「Ｃ  大皿部の直径」という列には、対応するけん玉の大皿部の直径（ｍｍ）が玉部の直径に対する割合（％）とともに示されている。なお、様々な実施形態に係るけん玉に関しては、「Ｃ」という参照符号は、図２及び図３に示した参照符号「Ｃ」（すなわち、大皿部３０の外縁部３６の外径）に対応している。なお、本実施形態に係るけん玉（図１０の第１行〜第３行に示されたけん玉）の外縁部３６は、例えば１.０ｍｍの幅（外径と内径との差）を有する。
【００３１】
「Ｄ  小皿部の直径」という列には、対応するけん玉の小皿部の直径（ｍｍ）が玉部の直径に対する割合（％）とともに示されている。なお、様々な実施形態に係るけん玉に関しては、「Ｄ」という参照符号は、図２及び図４に示した参照符号「Ｄ」（すなわち、小皿部４０の外縁部４６の外径）に対応している。なお、本実施形態に係るけん玉（図１０の第１行〜第３行に示されたけん玉）の外縁部４６は、例えば１.０ｍｍの幅（外径と内径との差）を有する。
【００３２】
「Ｅ  中皿部の直径」という列には、対応するけん玉の中皿部の直径（ｍｍ）が玉部の直径に対する割合（％）とともに示されている。なお、様々な実施形態に係るけん玉に関しては、「Ｅ」という参照符号は、図２及び図６に示した参照符号「Ｅ」（すなわち、中皿部５０の外縁部５６の外径）に対応している。なお、本実施形態に係るけん玉（図１０の第１行〜第３行に示されたけん玉）の外縁部５６は、例えば１.０ｍｍの幅（外径と内径との差）を有する。
【００３３】
「Ｆ  縁部の長さ」という列には、対応するけん玉（の大皿部、小皿部、中皿部）の縁部の横幅（ｍｍ）が玉部の直径に対する割合（％）とともに示されている。なお、様々な実施形態に係るけん玉に関しては、「Ｆ」という参照符号は、図２及び図５に示した参照符号「Ｆ」（すなわち、大皿部３０の縁部３４が水平方向に沿って延びる距離、小皿部４０の縁部４４が水平方向に沿って延びる距離、又は、中皿部５０の縁部５４が鉛直方向に沿って延びる距離）に対応している。
【００３４】
「Ｇ  皿胴部の横幅」という列には、対応するけん玉の皿胴部の横幅（ｍｍ）が玉部の直径に対する割合（％）とともに示されている。なお、様々な実施形態にかかるけん玉に関しては、「Ｇ」という参照符号は、図２及び図５に示した参照符号「Ｇ」（すなわち、大皿部３０の外縁部３６と小皿部４０の外縁部４６との間の距離）に対応している。
「Ｈ  質量」という列には、対応するけん玉全体（けん部及び玉部）の質量が示されている。
【００３５】
まず、第１行に例示された一実施形態に係るけん玉に着目する。大皿部３０の直径、すなわち、外縁部３６の外径は、５３ｍｍであり、玉部２の直径の８８％に相当する。このような大皿部３０の直径は、一般的なけん玉、例えば第４行に示された「競技用けん玉」の大皿部の直径（４２ｍｍ、７０％）よりも大きく設定されている。これにより、このけん玉は、初心者等を含むユーザにとって、例えば「大皿」（玉部２を大皿部３０の凹部３２に載せる技）等の技が決まり易いものとなっている。
【００３６】
なお、ユーザがけん玉を操作して玉部２を大皿部３０に載せようと試みる際、（大皿部３０の凹部３２の直径が玉部２の直径よりも小さいことに起因して）玉部２が大皿部３０の外縁部３６に接触することなく直接凹部３２に収容されることは稀であり、実際には、玉部２は、外縁部３６に接触した後に凹部３２に収容されることが殆どである。このように外縁部３６に接触した場合、玉部２は、（その重心が凹部３２の上方に位置しているため）外縁部３６により凹部３２に向かう方向に案内ないし付勢されることによって、凹部３２に収容されることも多い。このような理由から、本明細書では、技の決まり易さに関連した要素として、玉部２の直径に対する「外縁部３６の外径」の比率を用いるが、これに代えて、玉部２の直径に対する「外縁部３６の内径」すなわち「凹部３２の直径」を用いてもよい。
【００３７】
小皿部４０の直径、すなわち、外縁部４６の外径は、５１ｍｍであり、玉部２の直径の８５％に相当する。このような小皿部４０の直径は、一般的なけん玉、例えば第４行に示された「競技用けん玉」の小皿部の直径（３８ｍｍ、６３％）よりも大幅に大きく設定されている。これにより、このけん玉は、初心者等を含むユーザにとって、例えば「小皿」（玉部２を小皿部４０の凹部４２に載せる技）等の技が決まり易いものとなっている。
【００３８】
なお、ユーザがけん玉を操作して玉部２を小皿部４０に載せようと試みる際、（小皿部４０の凹部４２の直径が玉部２の直径よりも小さいことに起因して）玉部２が小皿部４０の外縁部４６に接触することなく直接凹部４２に収容されることは稀であり、実際には、玉部２は、外縁部４６に接触した後に凹部４２に収容されることが殆どである。このように外縁部４６に接触した場合、玉部２は、（その重心が凹部４２の上方に位置しているため）外縁部４６により凹部４２に向かう方向に案内ないし付勢されることによって、凹部４２に収容されることも多い。このような理由から、本明細書では、技の決まり易さに関連した要素として、玉部２の直径に対する「外縁部４６の外径」の比率を用いるが、これに代えて、玉部２の直径に対する「外縁部４６の内径」すなわち「凹部４２の直径」を用いてもよい。
【００３９】
大皿部３０の直径及び／又は小皿部４０の直径を単純に何らの工夫もなく大きくする（ことも様々な実施形態に含まれるものであるが）と、皿胴部２０の横幅、すなわち、大皿部３０の外縁部３６と小皿部４０の外縁部４６との間の距離も大きくなってしまう。この場合、特に手の小さい幼児や女性が、例えば「大皿」という技等を実行すべく図７に示すようにけん部１を持とうとするとき、皿胴部２０の横幅が大きくなっていることに起因して、けん部１が持ち辛いものとなり、ひいては、技の成功率が低下してしまう。また、手の小さい幼児や女性だけでなく、成人男性であっても、そのような皿胴部２０の横幅が大きくなったけん玉に慣れてしまうと、逆に、一般的なけん玉、例えば「競技用けん玉」が扱いにくく感じてしまう可能性もある。
さらには、大皿部３０の直径、小皿部４０の直径、及び、皿胴部２０の横幅を大きくしてしまうと、そのようなけん玉は、その分だけ、けん部１の質量が増加することによって、初心者等にとって、操作しにくく（しかも疲れ易く）、技を決めにくいものとなってしまう可能性もある。
【００４０】
そこで、本実施形態では、図１０に示すように、皿胴部２０の幅は、７０ｍｍ（玉部２の直径の１１７％に相当する）となるように形成されている。すなわち、本実施形態では、皿胴部２０の幅は、一般的なけん玉、例えば第４行に示された「競技用けん玉」の皿胴部の幅（７０ｍｍ、１１７％）と略同一となるように形成されている。これにより、持ち辛くなるといった問題を解決することができる。
【００４１】
このように、皿胴部２０の幅を一般的なけん玉と略同一にすることと、大皿部３０の直径及び／又は小皿部４０の直径を一般的なけん玉に比べて大きくすることとを両立するために、本実施形態では、代わりに、大皿部３０の縁部３４の幅、及び／又は、小皿部４０の縁部４４の幅を一般的なけん玉に比べて小さくするという手法を採用している。具体的には、図１０に示すように、大皿部３０の縁部３４の幅（縁部３４が水平方向に延びる距離）は、７.０ｍｍ（玉部２の直径の１２％）となるように形成されている。これに加えて、又は、これに代えて、小皿部４０の縁部４４の幅も大皿部３０の縁部３４の横幅と同様のサイズに形成されるようにしてもよい。このような縁部３４（及び／又は縁部４４）の幅は、一般的なけん玉、例えば第４行に示された「競技用けん玉」の縁部の横幅（１０.０ｍｍ、１７％）よりも小さいものとなっている。これにより、皿胴部２０の幅を一般的なけん玉と略同一にすること、及び、大皿部３０の直径及び／又は小皿部４０の直径を一般的なけん玉に比べて大きくすること、の両方を実現することができる。よって、初心者等は、「大皿」や「小皿」等の技を容易に決めることができるとともに、次に一般的なけん玉（「競技用けん玉」等）に移行した場合であっても、そのような初心者等が一般的なけん玉に対して感ずる違和感を抑えることができる。
【００４２】
さらにまた、このように縁部３４（及び／又は縁部４４）の幅を小さくする手法を採用すると、縁部３４（及び／又は縁部４４）の幅を小さくしたことに起因する皿胴部２０の質量の減少分でもって、大皿部３０の直径及び／又は小皿部４０の直径を大きくしたことに起因する皿胴部２０の質量の増加分を、少なくとも部分的に相殺することができる。これにより、初心者等が、質量の増加に伴って本実施形態に係るけん玉に対して扱い辛さを感じる事態を抑えることができる。実際、図１０に示すように、本実施形態に係るけん玉全体（けん部１及び玉部２）の質量は、１４５ｇであって、一般的なけん玉、例えば第４行に示された「競技用けん玉」全体の質量（１４２ｇ）とほとんど同一となるように抑えられている。
【００４３】
また、けん軸部１０の長さは、図１０に示すように、１６０ｍｍ（玉部２の直径の２６７％であり、一般的なけん玉、例えば第４行に示す「競技用けん玉」のけん軸部の長さと略同一とされている。これにより、本実施形態に係るけん玉を用いてけん玉の操作に慣れた初心者等が、次に一般的なけん玉（「競技用けん玉」等）に移行した場合であっても、そのような初心者等が一般的なけん玉に対して感ずる違和感を抑えることができる。
【００４４】
さらに選択的には、中皿部５０の直径、すなわち、外縁部５６の外径は、４１ｍｍであり、玉部２の直径の６８％に相当する。このような中皿部５０の直径は、一般的なけん玉、例えば第４行に示された「競技用けん玉」の中皿部の直径（３５.０ｍｍ、５８％）よりも大きく設定されている。これにより、このけん玉は、初心者等を含むユーザにとって、例えば「中皿」（玉部２を中皿部５０の凹部５２に載せる技）等の技が決まり易いものとなっている。
【００４５】
なお、ユーザがけん玉を操作して玉部２を中皿部５０に載せようと試みる際、（中皿部５０の凹部５２の直径が玉部２の直径よりも小さいことに起因して）玉部２が中皿部５０の外縁部５６に接触することなく直接凹部５２に収容されることは稀であり、実際には、玉部２は、外縁部５６に接触した後に凹部５２に収容されることが殆どである。このように外縁部５６に接触した場合、玉部２は、（その重心が凹部５２の上方に位置しているため）外縁部５６により凹部５２に向かう方向に案内ないし付勢されることによって、凹部５２に収容されることも多い。このような理由から、本明細書では、技の決まり易さに関連した要素として、玉部２の直径に対する「外縁部５６の外径」の比率を用いるが、これに代えて、玉部２の直径に対する「外縁部５６の内径」すなわち「凹部５２の直径」を用いてもよい。
【００４６】
このように中皿部５０の直径を大きくした場合には、中皿部５０に対しても、上述した大皿部３０及び／又は小皿部４０に施された工夫を同様に適用することが可能である。すなわち、中皿部５０の縁部５４の幅、すなわち、縁部５４が鉛直方向に延びる距離は、「Ｆ  縁部の長さ」の列に示されたように、７.０ｍｍ（玉部２の直径の１２％）となるように形成され得る。これにより、けん軸部１０の長さを大きくすることなく、中皿部５０の直径を大きくすることができる。また、縁部５４の幅を小さくしたことに起因するけん軸部１０の質量の減少分でもって、中皿部５０の直径を大きくしたことに起因するけん軸部１０の質量の増加分を、少なくとも部分的に相殺することができる。さらにまた、けん軸部１０の長さは、一般的なけん玉、例えば第４行に示す「競技用けん玉」のけん軸部の長さと略同一とすることができるため、本実施形態に係るけん玉を用いてけん玉の操作に慣れた初心者等が、次に一般的なけん玉（「競技用けん玉」等）に移行した場合であっても、そのような初心者等が一般的なけん玉に対して感ずる違和感を抑えることができる。
【００４７】
また、図７を参照して上述したように、けん軸部１０の下部に設けられた下部外面１８Ｂは、平面状（平らな面）ではなく、けん軸部１０の中心軸に向かう方向に（凸に）湾曲した曲面状とされている。これにより、上述したとおり、けん部１が持ち易いものとなり、したがって、様々な技が決まり易くなる。これに加えて、下部外面１８Ｂが湾曲した曲面状に形成されることは、平面状に形成される場合に比べて、けん軸部１０の体積が小さくなる（所謂スリムになる）ことを意味する。このように、下部外面１８Ｂをスリムにしたことに起因するけん軸部１０の質量の減少分をもって、大皿部３０の直径、小皿部４０の直径、及び／又は、中皿部５０の直径を大きくしたことに起因するけん軸部１０の質量の増加分を、少なくとも部分的に相殺することができる。
【００４８】
図１０の第１行に示された各部の数値を参照して上述した実施形態は、単なる一例であり、適宜変更することが可能なものである。具体的には、例えば、図１０の第１行に示された各部の数値は、第２行に示された数値（下限）〜第３行に示された数値（上限）の範囲において変更されるようにしてもよい。
【００４９】
具体的には、特に、大皿部３０の直径は、４９.８ｍｍ（玉部２の直径の８３％）〜６０.０ｍｍ（１００％）の範囲に設定することが可能なものである。大皿部３０のこのような範囲の直径は、一般的なけん玉（例えば「競技用けん玉」）の大皿部の直径（４２.０ｍｍ、７０％）よりも大きい。したがって、このような範囲に属する直径を有する大皿部３０を具備するけん玉は、初心者等を含むユーザにとって、例えば「大皿」（玉部２を大皿部３０の凹部３２に載せる技）等の技が決まり易いものとなる。
【００５０】
また、例えば、小皿部４０の直径も同様に、４９.８ｍｍ（玉部２の直径の８３％）〜６０.０ｍｍ（１００％）の範囲に設定することが可能なものである。小皿部４０のこのような範囲の直径は、一般的なけん玉（例えば「競技用けん玉」）の小皿部の直径（３８.０ｍｍ、６３％）よりも大きい。したがって、このような範囲に属する直径を有する小皿部４０を具備するけん玉は、初心者等を含むユーザにとって、例えば「小皿」（玉部２を小皿部４０の凹部４２に載せる技）等の技が決まり易いものとなる。
【００５１】
また、例えば、中皿部５０の直径は、３６.０ｍｍ（玉部２の直径の６０％）〜４２.０ｍｍ（７０％）の範囲に設定することが可能なものである。中皿部５０のこのような範囲の直径は、一般的なけん玉（例えば「競技用けん玉」）の中皿部の直径（３５.０ｍｍ、５８％）よりも大きい。したがって、このような範囲に属する直径を有する中皿部５０を具備するけん玉は、初心者等を含むユーザにとって、例えば「中皿」（玉部２を中皿部５０の凹部５２に載せる技）等の技が決まり易いものとなる。
【００５２】
また、例えば、大皿部３０、小皿部４０及び／又は中皿部５０の縁部の長さは、６.０ｍｍ（玉部２の直径の１０％）〜９.０ｍｍ（１５％）の範囲に設定することが可能なものである。このような範囲の縁部の長さは、一般的なけん玉（例えば「競技用けん玉」）の縁部の長さ（１０.０ｍｍ、１７％）よりも小さい。これにより、大皿部３０の直径、小皿部４０の直径、及び／又は、中皿部５０の直径を上記の範囲で設定した際に、これに伴うけん軸部１０の質量の増加を、大皿部３０、小皿部４０及び／又は中皿部５０の縁部の長さを適宜変更することによって抑えることができる。また、このように縁部の長さを小さく設定することによって、皿胴部２０の横幅を大きくすることなく、大皿部３０の直径、小皿部４０の直径、及び／又は、中皿部５０の直径を大きくすることができる。
【００５３】
上述した理由により、皿胴部２０の横幅及びけん軸部１０の長さは、図１０の第１行に示した値（すなわち、一般的なけん玉（例えば「競技用けん玉」）と略同一の長さ）に設定することが最も好ましい。しかし、皿胴部２０の横幅及びけん軸部１０の長さは、図１０の第２行に示された数値〜第３行に示された数値の範囲内において適宜変更してもよい。
【００５４】
なお、上述した様々な実施形態において、大皿部３０の縁部、小皿部４０の縁部、及び／又は、中皿部５０の縁部を小さくする場合、これら縁部の幅を必ずしも同一にする必要はない。すなわち、大皿部３０の縁部、小皿部４０の縁部、及び／又は、中皿部５０の縁部は、相互に異なる幅を有するものであってもよいし、相互に同一の幅を有するものであってもよい。
【００５５】
さらにまた、上述した様々な実施形態において、大皿部３０の外縁部３６の外径、小皿部４０の外縁部４６の外径、及び／又は、中皿部５０の外縁部５６の外径を、図１０の第２行に示された数値〜第３行に示された数値の範囲内において適宜変更する際には、外縁部３６の外径、外縁部４６の外径、及び／又は、外縁部５６の外径を、相互に同一の数値にしてもよいし、相互に異なる数値にしてもよい。
【００５６】
２．比較
次に、上述した様々な実施形態に係るけん玉と、上述した非特許文献１に開示されたけん玉、及び、けん玉Ｘ１〜けん玉Ｘ６とを図１０を参照して比較する。
【００５７】
上述したとおり、一実施形態に係るけん玉は、玉部２の直径に対する比率が８３％〜１００％の範囲にある直径を有する小皿部４０を具備するものである。このような比率の直径を有する小皿部は、非特許文献１に開示された「競技用けん玉」、けん玉Ｘ１〜けん玉Ｘ６のいずれにも見受けられない。
【００５８】
なお、一般的にいうと、けん玉とは、大皿部、小皿部及び中皿部のそれぞれに形成された凹部に玉部を載せて楽しむ玩具であるため、大皿部、小皿部及び中皿部の大きさが玉部の大きさとの関係でどれだけ大きいかということが、技を決め易いけん玉であるか否かを左右する。すなわち、けん玉の操作性において、大皿部、小皿部及び中皿部の絶対的な大きさのみが必ずしも重要である訳ではなく、飽くまで、けん玉の大きさに対して大皿部、小皿部及び中皿部がどれだけ大きいかが重要である。その意味において、玉部の直径に対する各部（大皿部、小皿部等）の比率がけん玉の操作性を左右するといえる。
例えば、図１０に示したけん玉Ｘ３は、絶対値としては５０.０ｍｍという比較的に大きな直径を有する大皿部を備えてはいるが、かかる直径は、玉部の直径のわずか７１％にしか過ぎない。よって、けん玉Ｘ３は、左程「大皿」という技等を決め易いものではない。これに対して、図１０に示したけん玉Ｘ１は、絶対値としては４１.６ｍｍという比較的に小さな直径を有する大皿部を備えてはいるが、かかる直径は、玉部の直径の７９％を占めるものである。よって、けん玉Ｘ１は、けん玉Ｘ３と比較すれば、「大皿」という技等を決め易いものであるといえる。
【００５９】
また、上述したとおり、一実施形態に係るけん玉は、玉部２の直径に対する比率が８３％〜１００％の範囲にある直径を有する大皿部３０を具備するものである。このような比率の直径を有する大皿部は、非特許文献１に開示された「競技用けん玉」、けん玉Ｘ１〜けん玉Ｘ６には見受けられないものであるが、けん玉Ｘ５及びけん玉Ｘ６には見受けられるものである。
【００６０】
しかし、まず、けん玉Ｘ５は、確かに、図１０の第９行に示すとおり、玉部の直径に対する比率が８９％である直径を有する大皿部を具備するものである。ところが、けん玉Ｘ５に用いられる玉部の直径（５３.９ｍｍ）は、一実施形態に係るけん玉や一般的なけん玉（例えば第４行に示された「競技用けん玉」）に用いられる玉部の直径（６０.０ｍｍ）よりも６ｍｍ以上も小さいものである。どれだけ大皿部が大きくとも、その大皿部に載せる玉部が小さ過ぎる場合には、初心者等を含むユーザは、そのような小さな玉部を大皿部に載せることは容易ではない。したがって、けん玉Ｘ５は、本実施形態に係るけん玉とは異なり、初心者等にとって簡単に楽しむことができるものではない。さらには、けん玉Ｘ５は、本実施形態に係るけん玉とは異なり、大皿部及び小皿部において縁部なる部分を有するものではない。この意味において、けん玉Ｘ５は、大皿部３０の直径を大きくすることに起因して皿胴部２０の横幅が大きくなる事態、及び、大皿部３０の直径を大きくすることに起因してけん軸部１０の質量が大きくなる事態を防止するように機能する縁部３４を具備する、という本実施形態に係るけん玉の技術的特徴を何ら開示ないし示唆するものではない。さらには、縁部を欠くけん玉Ｘ５は、縁部を有する他のけん玉（例えば、非特許文献１に開示された「競技用けん玉」、けん玉Ｘ１〜けん玉Ｘ４、けん玉Ｘ６）と組み合わせることが困難なものである。
【００６１】
次に、けん玉Ｘ６は、確かに、図１０の第１０行に示すとおり、玉部の直径に対する比率が８７％である直径を有する大皿部を具備するものである。しかし、けん玉Ｘ６は、プラスチックにより形成されたものであることを前提とし、皿胴部に対して着脱自在に設けられた大皿部及び小皿部を有するものである。一方、本実施形態に係るけん玉は、全体として木製の材料により形成されたものであることを前提とし、皿胴部に対して一体的にすなわち着脱不能に形成された大皿部及び小皿部を具備するものである。
【００６２】
けん玉Ｘ６は、プラスチックにより形成されたものであるからこそ、直径を大きくした大皿部及び小皿部を有することができるのである。すなわち、けん玉Ｘ６は、そのような大皿部及び小皿部を装着しても、一般的なけん玉（例えば図１０の第４行に示した「競技用けん玉」では１４２ｇ）に比べて、依然として軽いまま（図１０の第１０行に示すように１２３ｇ）である。けん玉Ｘ６が、仮に木製の材料により形成された場合には、そのような大きな大皿部及び小皿部を備えれば、一般的なけん玉よりも著しく重いものとなり、初心者等を含むユーザにとって簡単に楽しむことができるものにはなり得ない。したがって、プラスチックで形成されたけん玉Ｘ６に対して、木製の材料により形成された他のけん玉（例えば、非特許文献１に開示された「競技用けん玉」、けん玉Ｘ１〜けん玉Ｘ５）を単純に組み合わせたところで、本実施形態に係るけん玉の上述した様々な技術的特徴を導き出すことは不可能である。
【００６３】
さらにまた、一実施形態に係るけん玉は、玉部２の直径に対する比率が１０％〜１５％の範囲にある長さを有する縁部３４（縁部４４及び／又は縁部５４）を具備するものである。このような比率の長さを有する縁部は、非特許文献１に開示された「競技用けん玉」、けん玉Ｘ１〜けん玉Ｘ６のいずれにも見受けられるものではない。すなわち、非特許文献１に開示された「競技用けん玉」、けん玉Ｘ１〜けん玉Ｘ６には、本実施形態に係るけん玉の上記比率（１０％〜１５％）よりも大きな比率（１７％〜２４％）しか見受けられない。このように、非特許文献１に開示された「競技用けん玉」、けん玉Ｘ１〜けん玉Ｘ６のいずれにおいても、大皿部、小皿部及び／又は中皿部を大きくすることに伴ってけん玉の質量が増加するという事態を抑えるべく、大皿部の縁部、小皿部の縁部及び／又は中皿部の縁部を小さくする、という本実施形態に係る技術的思想を開示ないし示唆するところはないし、さらには、大皿部、小皿部及び／又は中皿部を大きくすることに伴って皿胴部の横幅（けん軸部の長さ）が増加するという事態を抑えるべく、大皿部の縁部、小皿部の縁部及び／又は中皿部の縁部を小さくする、という本実施形態に係る技術的思想を開示ないし示唆するところもない。
【００６４】
実際には、当業者であれば、けん玉の縁部の強度を確保するために、けん玉の縁部の幅を可能な限り大きくしようと考えるものである。すなわち、けん玉は、ユーザが誤って床や地面等に落として大皿部、小皿部及び中皿部の縁部に亀裂が生じるという可能性を考慮して、当業者であれば、これら縁部の幅を大きくしようと考えるものである。これらの縁部の幅を小さくすると、大皿部（小皿部又は中皿部）の外面と内面との間に位置する外縁部（図１で示すと外縁部３６）付近の厚みが非常に薄くなってしまい、この部分の強度が低下してしまう。したがって、非特許文献１に開示された「競技用けん玉」、けん玉Ｘ１〜けん玉Ｘ６に接した当業者が、大皿部（小皿部又は中皿部）の縁部の幅を小さくして、本実施形態に係るけん玉の技術的特徴に想到することは非常に困難であるといえる。
【００６５】
３．実験結果
次に、上記実施形態に係るけん玉に関する実験結果について、さらに図１１を参照して説明する。図１１は、本発明の一実施形態に係るけん玉に関する実験結果を示す表である。図１１には、Ａ〜Ｎの各ユーザについて、競技用けん玉（非特許文献１）、けん玉Ｘ５及び本願に係るけん玉（ここでは、図１０の第１行に示されたけん玉）を用いて様々な技を試みた場合における結果が示されている。図１１は、「大皿の成功」、「決まりやすさ」及び「楽しさ」という３つの観点で、一実施形態に係るけん玉が従来技術に係るけん玉に比べて優れていることを示している。
なお、Ａ〜Ｎの各ユーザは、本件出願に係る発明について守秘義務を有する者であることはいうまでもない。
【００６６】
まず「大皿の成功」という観点に着目する。
各ユーザは、「競技用けん玉」、「けん玉Ｘ５」及び「本願に係るけん玉」のそれぞれについて、１回だけ「大皿」という技を試みた。この技に成功した場合には「○」が付され、この技に失敗した場合には「×」が付される。
いずれのけん玉を用いてもこの技を成功させられなかった場合には、それぞれのけん玉を用いてもう１回だけこの技を試みた。いずれかのけん玉でこの技を成功させることができるまで上記を繰り返した。この結果が、図１１における「大皿の成功」の列に示されている。
【００６７】
「競技用けん玉」に関しては、２０代のユーザにとって技の成功率がやや低く、３０代後半〜８０代のユーザにとっては技の成功率が著しく低いことが分かる。「けん玉Ｘ５」に関しては、３０代の半数のユーザ及び６０代〜８０代のユーザにとって、技の成功率が低くなっている。このことからも、上述したように、「けん玉Ｘ５」は、直径が大きい大皿部を有してはいるものの、玉部が大皿部に比べて小さ過ぎるため、操作性が低いものとなっている、ということが理解される。本願に係るけん玉については、２０代〜８０代のすべての年代のユーザにとって、技の成功率が著しく高いことが理解される。
【００６８】
図１１の「大皿の成功」という列には、各ユーザが「大皿」という技を試みた場合の結果のみしか示されていないが、一実施形態に係るけん玉における大皿部３０及び小皿部４０の大きさが略同一であることから、この実験結果は、小皿部４０を用いた技、例えば「小皿」という技を試みた場合にも類推適用できるものであるといえる。
【００６９】
次に「決まりやすさ」という観点に着目する。
各ユーザは、「競技用けん玉」、「けん玉Ｘ５」及び「本願に係るけん玉」それぞれを一定時間扱った結果、これらのけん玉のうちいずれのけん玉が最も技の決まりやすいけん玉であるかについて回答した。この結果が、図１１における「決まりやすさ」の列に示されている。図１１から明らかなように、すべてのユーザが、技の決まりやすいけん玉として本願に係るけん玉を挙げている。
【００７０】
最後に「楽しさ」という観点に着目する。
各ユーザは、「競技用けん玉」、「けん玉Ｘ５」及び「本願に係るけん玉」それぞれを一定時間扱った結果、これらのけん玉のうちいずれのけん玉が最も楽しさを感じることができたけん玉であるかについて回答した。この結果が、図１１における「楽しさ」の列に示されている。図１１から分かるように、ほとんどすべてのユーザが、楽しさを感じたけん玉として本願に係るけん玉を挙げている。
【００７１】
なお、図１１に示した実験結果は、図１０の第１行に示した一実施形態に係るけん玉に関するものであるが、図１０の第２行に示した数値（下限）〜第３行に示した数値（上限）を適用したけん玉についても、ほぼ同様の結果が得られた。
【００７２】
以上説明したように、様々な実施形態により、初心者等でも簡単に楽しむことが可能なけん玉を提供することができる。
【符号の説明】
【００７３】
１  けん部
２  玉部
２Ａ  穴部
３  接続部材
１０  けん軸部
１８Ａ  上部外面
１８Ｂ  下部外面
２０  皿胴部
２６  中心部
３０  大皿部
３２  凹部
３４  縁部
３６  外縁部
４０  小皿部
４２  凹部
４４  縁部
４６  外縁部
５０  中皿部
５２  凹部
５４  縁部
５６  外縁部
６０  すべり止め部
【図１】
2018000742.tif 000003
【図２】
2018000742.tif 000004
【図３】
2018000742.tif 000005
【図４】
2018000742.tif 000006
【図５】
2018000742.tif 000007
【図６】
2018000742.tif 000008
【図７】
2018000742.tif 000009
【図８】
2018000742.tif 000010
【図９】
2018000742.tif 000011
【図１０】
2018000742.tif 000012
【図１１】
2018000742.tif 000013